(57)【要約】【課題】本発明は家庭用浴室暖房を開示した。【解決手段】ランプシェードを含み、前記ランプシェードの下端面には電源が左右対称的にねじ山によって装着され、前記電源の下端には加熱する電球が固定的に設置され、前記ランプシェードの中には駆動溝が左右対称的に設置され、前記駆動溝の上端壁にはリミットスライド溝が設置され、前記リミットスライド溝の中にはリミットブロックがスライドできるように連結され、前記モータ軸は前記ラチェットギヤを正方向に回転連動させることができ、前記ラチェットギヤを逆方向に回転させることができなく、本装置は電球に凝縮した熱い水をぬぐいとることができ、水が人体に滴り落ちることで人体に傷を付けることを防止でき、同時にファンにより電球の温度を快速に伝達し、熱量をより均一に浴室の中に送れる。【選択図】図１
2020176814.tif 000002
【特許請求の範囲】
【請求項１】
ランプシェードを含み、前記ランプシェードの下端面には電源が左右対称的にねじ山によって装着され、前記電源の下端には加熱する電球が固定的に設置され、前記ランプシェードの中には駆動溝が左右対称的に設置され、前記駆動溝の上端壁にはリミットスライド溝が設置され、前記リミットスライド溝の中にはリミットブロックがスライドできるように連結され、前記リミットブロックの下端には推し動かしブロックが設置され、前記駆動溝の下端壁には底溝が前後対称的に設置され、前記駆動溝の前後端壁には回転軸が回転できるように連結され、前記回転軸には捻りばねが固定的に設置され、前記捻りばねのもう一端が前記駆動溝の後端壁と固定的に連結され、前記回転軸には拭い枠が固定的に設置され、前記拭い枠が前記底溝とスライドできるように連結され、前記拭い枠の中にはそれぞれ七個のスポンジスライド溝が設置され、前記スポンジスライド溝の中には前記電球にある水をぬぐいとることができるスポンジブロックがスライドできるように連結され、前記スポンジブロックと前記スポンジスライド溝との間には小ばねが連結され、前記駆動溝の左右端壁には親ねじが回転できるように連結され、前記親ねじが前記推し動かしブロックとねじ山によって連結され、前記ランプシェードの中には傘歯車溝が左右対称的に設置され、二つの前記親ねじの一端はそれぞれ自身と相対する前記傘歯車溝の中に入っており、且つ前記傘歯車溝の端壁と回転できるように連結され、前記親ねじのうち前記傘歯車溝の中にある部分には第一傘歯車が固定的に設置され、前記傘歯車溝の上端にあ動力溝が設置され、前記動力溝の中には前記推し動かしブロックを左右に移動連動させることができる動力装置が設置され、前記動力溝の上端壁には空気入り溝が左右対称的に設置され、前記動力溝の下端壁には小穴が設置され、前記小穴の下端壁にはファン溝が設置され、前記ファン溝の中には熱量を快速に伝達できるファン装置が設置され、前記ファン溝の下端壁には前記リミットスライド溝と連通している連通溝が左右対称的に設置されていることを特徴とする家庭用浴室暖房。
【請求項２】
前記動力装置は前記動力溝の上端壁に固定的に装着されているモータを含み、前記モータの下端にはモータ軸が連結され、前記モータ軸と前記動力溝の下端壁とが回転できるように連結され、前記モータ軸には第一プーリが上下対称的に固定的に設置され、前記動力溝の上下端壁には貫通軸が左右対称的に回転できるように連結され、左端の前記貫通軸には第二プーリが固定的に設置され、前記第二プーリと下端の前記第一プーリとの間には第一ベルトが連結され、右端の前記貫通軸には第三プーリが固定的に設置され、前記第三プーリと上端の前記第一プーリとの間には第二ベルトが連結され、前記第三プーリと前記第二プーリの直径は前記第一プーリの直径より遥かに大きく、前記貫通軸が下へ伸びて前記動力溝の下端壁を貫通してそれぞれ自身と相対する傘歯車溝の中に入っており、且つ前記傘歯車溝の上端壁と回転できるように連結され、前記貫通軸の下端には前記第一傘歯車と噛み合っている第二傘歯車が固定的に設置され、前記モータが始動されて正転と逆転し、前記親ねじにより前記拭い枠を連動させて前記電球を繰り返して拭うことができることを特徴とする請求項１に記載の家庭用浴室暖房。
【請求項３】
前記ファン装置はファンを含み、前記モータ軸が下へ伸びて前記動力溝の下端壁を貫通して前記ファン溝の中に入っており、且つ前記ファン溝の上下端壁と回転できるように連結され、前記モータ軸のうち前記ファン溝の中にある部分にはラチェットギヤが設置され、前記ラチェットギヤと前記ファンとが固定的に連結され、前記モータ軸は前記ラチェットギヤを正方向に回転連動させることができ、前記ラチェットギヤを逆方向に回転させることができないことを特徴とする請求項１に記載の家庭用浴室暖房。
【発明の詳細な説明】
【技術分野】
【０００１】
本発明は灯具分野に関わり、具体的には家庭用浴室暖房である。
【背景技術】
【０００２】
目下、冬にお風呂に入る時、浴室暖房を開けて浴室の温度を保つ必要があり、しかしお風呂に入る時、蒸気が凝縮して浴室暖房に付着し、水滴になって滴り落ち、電球によって加熱された高温の水滴が人の体に滴り落ちることは、人体に傷を付けやすく、同時に伝統的な浴室暖房の加熱効率は比較的に低い。
【先行技術文献】
【特許文献】
【０００３】
【特許文献１】中国特許出願公開第１０６８１３２８６号明細書
【発明の概要】
【発明が解決しようとする課題】
【０００４】
本発明は家庭用浴室暖房を提供し、上記背景技術に取り上げられた問題を解決することを目的とする。
【課題を解決するための手段】
【０００５】
上記の目的を実現するため、本発明は以下の技術プランを提供する：家庭用浴室暖房はランプシェードを含み、前記ランプシェードの下端面には電源が左右対称的にねじ山によって装着され、前記電源の下端には加熱する電球が固定的に設置され、前記ランプシェードの中には駆動溝が左右対称的に設置され、前記駆動溝の上端壁にはリミットスライド溝が設置され、前記リミットスライド溝の中にはリミットブロックがスライドできるように連結され、前記リミットブロックの下端には推し動かしブロックが設置され、前記駆動溝の下端壁には底溝が前後対称的に設置され、前記駆動溝の前後端壁には回転軸が回転できるように連結され、前記回転軸には捻りばねが固定的に設置され、前記捻りばねのもう一端が前記駆動溝の後端壁と固定的に連結され、前記回転軸には拭い枠が固定的に設置され、前記拭い枠が前記底溝とスライドできるように連結され、前記拭い枠の中にはそれぞれ七個のスポンジスライド溝が設置され、前記スポンジスライド溝の中には前記電球にある水をぬぐいとることができるスポンジブロックがスライドできるように連結され、前記スポンジブロックと前記スポンジスライド溝との間には小ばねが連結され、前記駆動溝の左右端壁には親ねじが回転できるように連結され、前記親ねじが前記推し動かしブロックとねじ山によって連結され、前記ランプシェードの中には傘歯車溝が左右対称的に設置され、二つの前記親ねじの一端はそれぞれ自身と相対する前記傘歯車溝の中に入っており、且つ前記傘歯車溝の端壁と回転できるように連結され、前記親ねじのうち前記傘歯車溝の中にある部分には第一傘歯車が固定的に設置され、前記傘歯車溝の上端にあ動力溝が設置され、前記動力溝の中には前記推し動かしブロックを左右に移動連動させることができる動力装置が設置され、前記動力溝の上端壁には空気入り溝が左右対称的に設置され、前記動力溝の下端壁には小穴が設置され、前記小穴の下端壁にはファン溝が設置され、前記ファン溝の中には熱量を快速に伝達できるファン装置が設置され、前記ファン溝の下端壁には前記リミットスライド溝と連通している連通溝が左右対称的に設置されている。
【０００６】
好ましくは、前記動力装置は前記動力溝の上端壁に固定的に装着されているモータを含み、前記モータの下端にはモータ軸が連結され、前記モータ軸と前記動力溝の下端壁とが回転できるように連結され、前記モータ軸には第一プーリが上下対称的に固定的に設置され、前記動力溝の上下端壁には貫通軸が左右対称的に回転できるように連結され、左端の前記貫通軸には第二プーリが固定的に設置され、前記第二プーリと下端の前記第一プーリとの間には第一ベルトが連結され、右端の前記貫通軸には第三プーリが固定的に設置され、前記第三プーリと上端の前記第一プーリとの間には第二ベルトが連結され、前記第三プーリと前記第二プーリの直径は前記第一プーリの直径より遥かに大きく、前記貫通軸が下へ伸びて前記動力溝の下端壁を貫通してそれぞれ自身と相対する傘歯車溝の中に入っており、且つ前記傘歯車溝の上端壁と回転できるように連結され、前記貫通軸の下端には前記第一傘歯車と噛み合っている第二傘歯車が固定的に設置され、前記モータが始動されて正転と逆転し、前記親ねじにより前記拭い枠を連動させて前記電球を繰り返して拭うことができる。
【０００７】
好ましくは、前記ファン装置はファンを含み、前記モータ軸が下へ伸びて前記動力溝の下端壁を貫通して前記ファン溝の中に入っており、且つ前記ファン溝の上下端壁と回転できるように連結され、前記モータ軸のうち前記ファン溝の中にある部分にはラチェットギヤが設置され、前記ラチェットギヤと前記ファンとが固定的に連結され、前記モータ軸は前記ラチェットギヤを正方向に回転連動させることができ、前記ラチェットギヤを逆方向に回転させることができない。
【発明の効果】
【０００８】
以上により、本発明の有益な効果は：本装置は電球に凝縮した熱い水をぬぐいとることができ、水が人体に滴り落ちることで人体に傷を付けることを防止でき、同時にファンにより電球の温度を快速に伝達し、熱量をより均一に浴室の中に送れる。
【図面の簡単な説明】
【０００９】
本発明の実施例または既存の技術にある技術方案をよりはっきり説明できるため、下記に実施例または既存の技術を述べることに対して必要な附図を簡単に紹介する。明らかなように、下記に述べる附図はただ発明の一部分の実施例で、当業者にとって、創造的な労働を払わなくても、これらの附図に基づいてほかの附図を獲得できる。
【００１０】
【図１】図１は本発明の家庭用浴室暖房全体の全体断面正面構成模式図
【図２】図２は図１の中のＡ−Ａ方向の断面図
【図３】図３は図１の中の摩擦板の断面図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
本説明書に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００１３】
下記に図１−３を合わせて本発明を詳しく説明し、意思の疎通にもっと便利なため、後文に出る方位を下記の通りに規定する：以下に述べた上下左右前後の方向は図１自体の投影関係の上下左右前後の方向と一致している。
【００１４】
図１−３を参照し、本発明は家庭用浴室暖房であり、家庭用浴室暖房はランプシェード２１を含み、前記ランプシェード２１の下端面には電源４０が左右対称的にねじ山によって装着され、前記電源４０の下端には加熱する電球４１が固定的に設置され、前記ランプシェード２１の中には駆動溝４９が左右対称的に設置され、前記駆動溝４９の上端壁にはリミットスライド溝５４が設置され、前記リミットスライド溝５４の中にはリミットブロック４４がスライドできるように連結され、前記リミットブロック４４の下端には推し動かしブロック４３が設置され、前記駆動溝４９の下端壁には底溝５０が前後対称的に設置され、前記駆動溝４９の前後端壁には回転軸３８が回転できるように連結され、前記回転軸３８には捻りばね４２が固定的に設置され、前記捻りばね４２のもう一端が前記駆動溝４９の後端壁と固定的に連結され、前記回転軸３８には拭い枠３９が固定的に設置され、前記拭い枠３９が前記底溝５０とスライドできるように連結され、前記拭い枠３９の中にはそれぞれ七個のスポンジスライド溝５３が設置され、前記スポンジスライド溝５３の中には前記電球４１にある水をぬぐいとることができるスポンジブロック５１がスライドできるように連結され、前記スポンジブロック５１と前記スポンジスライド溝５３との間には小ばね５２が連結され、前記駆動溝４９の左右端壁には親ねじ３７が回転できるように連結され、前記親ねじ３７が前記推し動かしブロック４３とねじ山によって連結され、前記ランプシェード２１の中には傘歯車溝３５が左右対称的に設置され、二つの前記親ねじ３７の一端はそれぞれ自身と相対する前記傘歯車溝３５の中に入っており、且つ前記傘歯車溝３５の端壁と回転できるように連結され、前記親ねじ３７のうち前記傘歯車溝３５の中にある部分には第一傘歯車３６が固定的に設置され、前記傘歯車溝３５の上端にあ動力溝２６が設置され、前記動力溝２６の中には前記推し動かしブロック４３を左右に移動連動させることができる動力装置１０１が設置され、前記動力溝２６の上端壁には空気入り溝２８が左右対称的に設置され、前記動力溝２６の下端壁には小穴３２が設置され、前記小穴３２の下端壁にはファン溝３３が設置され、前記ファン溝３３の中には熱量を快速に伝達できるファン装置１０２が設置され、前記ファン溝３３の下端壁には前記リミットスライド溝５４と連通している連通溝２３が左右対称的に設置されている。
【００１５】
前記動力装置１０１は前記動力溝２６の上端壁に固定的に装着されているモータ３０を含み、前記モータ３０の下端にはモータ軸４６が連結され、前記モータ軸４６と前記動力溝２６の下端壁とが回転できるように連結され、前記モータ軸４６には第一プーリ２９が上下対称的に固定的に設置され、前記動力溝２６の上下端壁には貫通軸２２が左右対称的に回転できるように連結され、左端の前記貫通軸２２には第二プーリ２４が固定的に設置され、前記第二プーリ２４と下端の前記第一プーリ２９との間には第一ベルト２７が連結され、右端の前記貫通軸２２には第三プーリ４７が固定的に設置され、前記第三プーリ４７と上端の前記第一プーリ２９との間には第二ベルト４８が連結され、前記第三プーリ４７と前記第二プーリ２４の直径は前記第一プーリ２９の直径より遥かに大きく、前記貫通軸２２が下へ伸びて前記動力溝２６の下端壁を貫通してそれぞれ自身と相対する傘歯車溝３５の中に入っており、且つ前記傘歯車溝３５の上端壁と回転できるように連結され、前記貫通軸２２の下端には前記第一傘歯車３６と噛み合っている第二傘歯車３４が固定的に設置され、前記モータ３０が始動されて正転と逆転し、前記親ねじ３７により前記拭い枠３９を連動させて前記電球４１を繰り返して拭うことができる。
【００１６】
前記ファン装置１０２はファン３１を含み、前記モータ軸４６が下へ伸びて前記動力溝２６の下端壁を貫通して前記ファン溝３３の中に入っており、且つ前記ファン溝３３の上下端壁と回転できるように連結され、前記モータ軸４６のうち前記ファン溝３３の中にある部分にはラチェットギヤ４５が設置され、前記ラチェットギヤ４５と前記ファン３１とが固定的に連結され、前記モータ軸４６は前記ラチェットギヤ４５を正方向に回転連動させることができ、前記ラチェットギヤ４５を逆方向に回転させることができない。
【００１７】
使用する時、まず電源４０をオンにし、それで電球４１が作動し始め、そしてモータ３０を始動してモータ軸４６を回転連動させ、その後、第一プーリ２９と第二プーリ２４と貫通軸２２と第二傘歯車３４と第一傘歯車３６と親ねじ３７とが回転し、これにより推し動かしブロック４３が連動して移動し始め、それにより拭い枠３９を推し動かして回転させ、それにより拭い枠３９の下端のスポンジブロック５１が電球４１に凝縮した水を吸収し、モータ軸４６が正方向に回転すると同時にファン３１を回転連動させ、それにより冷たい空気が空気入り溝２８を通して吸い上げられ、そして動力溝２６と小穴３２とファン溝３３と連通溝２３とを経由し、駆動溝４９の中で加熱され、その後、底溝５０から噴き出され、温度の上昇を速める。
【００１８】
本発明の有益な効果は：本装置は電球に凝縮した熱い水をぬぐいとることができ、水が人体に滴り落ちることで人体に傷を付けることを防止でき、同時にファンにより電球の温度を快速に伝達し、熱量をより均一に浴室の中に送れる。
【００１９】
上記は、ただ発明の具体的な実施方式であり、発明の保護範囲はこれに限定されるものではなく、創造的な労働を通さない場合で想到できるすべての変化または入れ替わりはいずれも発明の保護範囲に含むべきである。そのため、発明の保護範囲は請求項に限定された保護範囲を基準とするベきである。
【図１】
2020176814.tif 000003
【図２】
2020176814.tif 000004
【図３】
2020176814.tif 000005